(57)【要約】【課題】風力装置が電気ネットワークに接続されている場合に生じる従来の問題を解決する。【解決手段】本発明は、風力装置が接続された電気ネットワークに電力を供給するための、ロータにより駆動される発電機を有する風力装置を操作する方法に関するものである。本発明はさらに、電気消費者、とくに電気ネットワークに電力を供給するための、ロータと、該ロータに連結された発電機とを含む風力装置に関するものでもある。本発明の目的は、風力装置が電気ネットワークに接続されている場合に受ける問題を解決することである。電気ネットワークに電力を供給するための発電機を有する風力装置を操作する方法は、発電機によってネットワークに供給される電力を、電気ネットワークのネットワーク周波数に応じて調整又は調節することを特徴とする。【選択図】図１
2006296200.tif 000002
【特許請求の範囲】
【請求項１】
電気ネットワークに電力を供給するための発電機を有する風力装置を操作する方法であって、
発電機によって電気ネットワークに供給される電力を、電気ネットワークのネットワーク周波数に応じて調整又は調節するとともに、
電気ネットワークのネットワーク周波数があらかじめ設定された値を超えれば、上記発電機によって供給されて電気ネットワークに供給される電力を低減することを特徴とする方法。
【請求項２】
ネットワーク周波数がその基準値を０．３％より多く上回れば、上記風力装置の供給電力を低減することを特徴とする、請求項１に記載の方法。
【請求項３】
ネットワーク周波数がその基準値を０．６％より多く上回れば、上記風力装置の供給電力を低減することを特徴とする、請求項１に記載の方法。
【請求項４】
ロータと、該ロータに連結され電気ネットワークに電力を供給する発電機とを含む、請求項１に記載の方法を実施するための風力装置であって、
電気ネットワークでの電圧又は電流の周波数を測定する周波数取出器を有する調整装置を備えていて、発電機によって電気ネットワークに供給される電力が周波数取出器によって測定されたネットワーク周波数に応じて調整可能であることを特徴とする風力装置。
【請求項５】
上記調整装置がマイクロプロセッサを有することを特徴とする、請求項４に記載の風力装置。
【請求項６】
該風力装置がマイクロプロセッサに連結されたインバータを有することを特徴とする、請求項５に記載の風力装置。
【請求項７】
該風力装置の機械的出力が、風に向かって配置されている調整可能なロータブレードにより低減されることを特徴とする、請求項４〜６のいずれか１つに記載の風力装置。
【請求項８】
上記ネットワーク周波数がその基準値を所定値だけ超えれば、該風力装置が電気ネットワークへの電力の供給を停止することを特徴とする、請求項４〜７のいずれか１つに記載の風力装置。
【請求項９】
上記所定値が上記基準値の２％であることを特徴とする、請求項８に記載の風力装置。
【請求項１０】
電気ネットワークに電力を供給するための発電機を有する風力装置を操作する方法であって、
風力装置で電力を生成し、
上記電力を電気ネットワークに供給し、
電気ネットワークにおける電力の周波数を測定し、
測定した周波数を基準値と比較し、
電気ネットワークにおける電力の周波数が基準値をしきい値だけ上回れば、風力装置によって電気ネットワークに供給される電力の量を低減することを特徴とする方法。
【請求項１１】
上記しきい値が０．３％であることを特徴とする、請求項１０に記載の方法。
【請求項１２】
上記しきい値が０．６％であることを特徴とする、請求項１０に記載の方法。
【請求項１３】
電気ネットワークに電力を供給するための発電機を有する風力装置を操作する方法であって、
発電機によって電気ネットワークに供給される電力を、電気ネットワークのネットワーク周波数に応じて調整又は調節するとともに、
電気ネットワークのネットワーク周波数があらかじめ設定された値を０．３％より多く上回れば、上記発電機によって供給されて電気ネットワークに供給される電力を低減することを特徴とする方法。
【請求項１４】
上記のあらかじめ設定された値が０．６％であることを特徴とする、請求項１３に記載の方法。
【請求項１５】
周囲の風にさらされる風力タービンブレードと、
風力タービンブレードに連結されたロータと、
ロータに連結され、電力を生成して電気ネットワークに供給する発電機と、
電気ネットワークの電圧の周波数を測定する周波数センサを有する調整装置と、
周波数センサによって測定されしきい値によって異なるネットワーク周波数に基づいて、発電機によって電気ネットワークに供給される電力を低減する電力調整装置とを備えていることを特徴とする風力装置。
【請求項１６】
上記調整装置がマイクロプロセッサを有することを特徴とする、請求項１５に記載の風力装置。
【請求項１７】
マイクロプロセッサに連結されたインバータを有することを特徴とする、請求項１６に記載の風力装置。
【請求項１８】
該風力装置の機械的出力が、風に対して調整される調整可能なロータブレードにより低減されることを特徴とする、請求項１５に記載の風力装置。
【請求項１９】
ネットワーク周波数があらかじめ設定された基準値を０．３％より多く上回れば、電気ネットワークに供給される電力を低減することを特徴とする、請求項１５に記載の風力装置。
【請求項２０】
ネットワーク周波数があらかじめ設定された基準値を０．６％より多く上回れば、電気ネットワークに供給される電力を低減することを特徴とする、請求項１５に記載の風力装置。
【請求項２１】
ネットワーク周波数があらかじめ設定された基準値を２％より多く上回れば、電力を０まで低下させて電気ネットワークへの電力の供給を停止するようになっていることを特徴とする、請求項１５に記載の風力装置。
【発明の詳細な説明】
【技術分野】
【０００１】
本発明は、風力装置が接続された電気ネットワークに電力を供給するための、ロータにより駆動される発電機を有する風力装置を操作する方法に関するものである。本発明はさらに、電気消費者（electrical consumer）、とくに電気ネットワークに電力を供給するための、ロータと、該ロータに連結された発電機とを含む風力装置に関するものでもある。
【背景技術】
【０００２】
弱小の電気ネットワーク（島）の場合、比較的大きな消費者が電気ネットワークから切り離されたときには、ネットワーク周波数が非常に急峻（突然）に上昇する。例えばディーゼルエンジン、水車などの駆動装置は、この後それらの（機械的及び電気的な）出力（power）を低減するのにはいくらかの時間を必要とする。このようなときには、これらの発電機は電気ネットワークで用いられるよりも多くのエネルギを生成する。この後、このエネルギは発電機を加速するのに消費される。これは、回転速度が上昇し、さらにはこれに伴ってネットワーク周波数も上昇するということを意味する。
【発明の開示】
【発明が解決しようとする課題】
【０００３】
しかしながら、例えばコンピュータ、電気モータなどの、電気ネットワークに接続された多くのアイテムの電気装置は、ネットワーク周波数の変動又はその突然の変化に対応するようになっていないので、これは電気装置に損傷を与え、その破壊に至るという結果を招くこともある。
【０００４】
本発明の目的は、風力装置が電気ネットワークに接続されている場合に生じる上記の問題を解決することである。
【課題を解決するための手段】
【０００５】
本発明によれば、上記の目的は、請求項１に記載の特徴を備えた方法と、請求項４に記載された特徴を備えた風力装置とによって達成される。有用な発展形態は、従属する請求項に記載されている。
【０００６】
本発明によれば、風力装置がこのような弱小ネットワークで操作される場合に、それらの（機械的な）電気的な出力（power）を、上昇するネットワーク周波数に応じて制御するようにしたものが提供される。すなわち、本発明は、ネットワーク周波数のさらなる上昇を防止し、又はネットワーク周波数の低下を達成することをもくろんでいる。
【発明を実施するための最良の形態】
【０００７】
本発明は、実施の形態により、添付の図面を参照しつつ、以下で非常に詳細に説明される。
【０００８】
図１は、ネットワークの電気周波数ｆに応じて低減されるべき出力電力Ｐについての風力装置への要求（demand）を示している。ここで、１００％の値は、電気ネットワークの基準周波数（５０Ｈｚ、６０Ｈｚ）を示している。１００.６％及び１０２％の値は、それぞれ、ネットワーク周波数ｆの、より高い値を示している。
【０００９】
風力装置の電力は、例えばネットワーク周波数が０.６％上昇しても（すなわち１００.６％となる）、まだ低下方向には調整されない。この後、ネットワーク周波数がさらに上昇した場合、風力装置の電力は低下する方向に調整される。図示された実施の形態においては、ネットワーク周波数が１０２％に上昇すれば風力装置の電力が０まで低下するように調整されている。
【００１０】
図２及び図３は、このような要求を満たす風力装置の実施の形態を示している。風力装置は、調整可能なロータブレード（ロータブレードに対するピッチの調整）を有し、これにより風力装置の機械的出力を下降方向に調整することができる。例えば、風に対するロータブレードの迎え角が調整される場合、ロータブレードにかかる力が所望の値まで低減されることができる。ロータブレードを担持しているロータに接続された発電機（図示せず）の交流電流は、整流器２により整流され、コンデンサ３により平滑化される。この後、インバータ４は、直流電圧をネットワークＬ１、Ｌ２、Ｌ３に供給される交流電流に変換する。この出力電流の周波数は、ネットワークによりあらかじめ決められている。マイクロプロセッサを含む調整装置５は、ネットワーク周波数を測定し、出力周波数がネットワーク電圧（ネットワーク周波数）に対応するような仕様で、インバータのパワースイッチを制御する。前記の通り、この後、ネットワーク周波数が上昇すれば、電力は図１に示すように低下方向に調整される。
【００１１】
図４は、本発明にかかる調整装置を示している。風力装置の図示されたロータ４は、風速ひいては風力に応じた電力を供給する発電機Ｇに連結されている。発電機Ｇにより生成される交流電圧は、まず整流され、この後インバータによりネットワーク周波数に対応する周波数の交流電圧に変換される。ネットワーク電圧は、ネットワーク周波数取出器により、ネットワークのネットワーク導入点（feed-in point）で確認される。ネットワーク周波数があらかじめ設定された値を超えれば（図１参照）、直ちに供給される電力がネットワーク周波数のさらなる上昇を防止するために低減される。したがって、ネットワークのネットワーク周波数は、調整装置により、所望のネットワーク周波数値に調整され、又は少なくともさらなる上昇が防止される。
【００１２】
ネットワーク周波数の変動は、上記のように調整された、風力装置によってネットワークに供給される電力の供給により回避され、又はかなり低減される。
【００１３】
図５は、風力装置の電気ネットワークへの接続を示している。ここでは、風力装置によって生成される電力は、ネットワーク導入点でネットワークに供給される。電気ネットワークには、図示された例では家の形態で示されている複数の消費者に接続されている。
【００１４】
図６は、図３に示すものとはやや異なる制御−調整装置の基本的な（必須の）部品を示している。制御・調整装置は、発電機で生成された交流電圧を整流する整流器を有している。整流器に接続された周波数変換器は、まず中間回路で整流された直流電圧を、配線Ｌ１、Ｌ２及びＬ３によりネットワークに３相交流電圧の形態で供給される交流電圧に変換する。周波数変換器は、全体としての調整装置の一部をなすマイクロコンピュータにより制御される。このため、マイクロプロセッサは周波数変換器に連結されている。風力装置２によって供給される電力がネットワークに供給されるところでの電圧を調整するための入力パラメータは、現在のネットワーク電圧と、ネットワーク周波数ｆと、発電機の電力Ｐと、無効電力率（reactive power factor）ｃｏｓψと、電力勾配ｄＰ／ｄｔとである。マイクロプロセッサは、本発明にかかる、その所望のネットワーク周波数で供給されるべき電圧の調整を行う。
【図面の簡単な説明】
【００１５】
【図１】風力装置の周波数／出力のタイムチャートである。
【図２】風力装置の側面図である。
【図３】マイクロプロセッサによって制御される、風力装置のインバータのブロック回路図である。
【図４】風力装置の調整装置の模式図である。
【図５】風力装置の電気ネットワークへの連結を示す図である。
【図６】図３に示す装置に代わる装置を示す図である。
【符号の説明】
【００１６】
１  風力装置、  ２  整流器、  ３  コンデンサ、  ４  インバータ、  ５  調整装置（レギュレータ）。
【図１】
2006296200.tif 000003
【図２】
2006296200.tif 000004
【図３】
2006296200.tif 000005
【図４】
2006296200.tif 000006
【図５】
2006296200.tif 000007
【図６】
2006296200.tif 000008